(57)【要約】  側部に窓（４）を備えたバレル（２）と、移動可能な筆記先端（５）と、先端（５）に連結された移動部材（１０）と、移動部材と協働できるように構成され、筆記先端が引き込まれる位置と筆記先端が露出する第２の位置との間を窓（４）を通って移動できる側部ボタン（３）とを有する筆記用具である。側部ボタン（３）は、ロック部材（２６）が側部ボタンのロック解除位置とロック位置との間を移動することができ、ロック部材（２６）が、バレル内に配置された保持部材（２９）と係合し、そして側部ボタンがバレルに対して固定されるためのガイド（２４）を有し、側部ボタン（３）が第２の位置にあるときにロック部材（２６）がロック位置の方へ押される。
2007536135.tif 000002
【特許請求の範囲】
【請求項１】
後端と開口部（６）を備えた前端との間を長手方向軸Ｘに沿って延び、側部窓（４）を有するバレル（２）と、
筆記先端が前記開口部を通って現れる露出位置と、前記筆記先端が前記バレル内に収納される引込み位置との間を移動することのできる前記筆記先端（５）と、
前記筆記先端に連結された移動部材（１０）と、
前記移動部材と協働するように構成され、前記筆記先端が引き込まれる第１の位置と前記先端が露出したままになる第２の位置との間を前記窓（４）を通して実質的に半径方向に移動することができる側部ボタン（３）と、を有する筆記用具において、
前記側部ボタン（３）は、中でロック部材（２６）がロック解除位置と側部ボタンロック位置との間を移動することができ、前記ロック部材が前記バレル内に配置された保持部材（２９）に係合し、前記側部ボタンが前記バレルに対して固定されるためのガイド（２４）を有し、前記ロック部材（２６）が、少なくとも前記側部ボタンが前記第２の位置にあるときに前記ロック位置の方へ押されることを特徴とする筆記用具。
【請求項２】
前記保持部材（２９）が前記バレルに固定されている、請求項１に記載の筆記用具。
【請求項３】
前記側部ボタン（３）の前記ガイドは、前記長手方向軸Ｘに沿って延び、且つ、一端に、前記ロック部材（２６）が前記保持部材（２９）と係合するように前記長手方向軸Ｘに沿って滑動する開口部を有するハウジング（２４）である、請求項１または２に記載の筆記用具。
【請求項４】
前記ロック部材（２６）は、前記保持部材（２９）と係合するように構成された第１の端部（２７）と、前記側部ボタン（３）が前記第２の位置にあるときに前記移動部材（１０）と接触する第２の端部（２８）とを有し、前記移動部材が、前記ロック部材を前記ロック位置に方へ押すように、弾性部材（１３）によって前記ロック部材の前記第１の端部の方へ付勢されている、請求項１から３のいずれか一項に記載の筆記用具。
【請求項５】
前記側部ボタン（３）は、前記側部ボタンが前記第２の位置にあるときに前記移動部材（１０）のリムと係合するように構成された長手方向に延びるスタッド（２１）を有する、請求項１から４のいずれか一項に記載の筆記用具。
【請求項６】
前記ロック部材（２６）の前記第２の端部（２８）は、前記ロック部材が前記ロック位置から前記ロック解除位置に移動させられるときに、前記リムが前記側部ボタンの前記スタッド（２１）と係合する位置から、前記リムがもはやスタッドと係合しない位置へ、移動部材（１０）を移動させるように構成されている、請求項５に記載の筆記用具。
【請求項７】
前記側部ボタン（３）はクリップ（１５）を有し、前記窓（４）は前記バレルの前記後端（２ｂ）の近くに配置され、前記クリップが、前記側部ボタンが前記第２の位置にあるときに少なくとも部分的に前記バレル内に収納される、請求項１から６のいずれか一項に記載の筆記用具。
【請求項８】
前記バレル（２）に対して移動可能なロック解除ボタン（３０）が、前記ロック部材（２６）を前記側部ボタン（３）のロック位置からロック解除位置へ駆動するように構成されている、請求項１から７のいずれか一項に記載の筆記用具。
【請求項９】
前記ロック解除ボタン（３０）は、前記ロック部材（２６）に固定されており、前記バレルの長穴（３１）に沿って滑動する、請求項８に記載の筆記用具。
【請求項１０】
前記ロック解除ボタン（３０）は、前記バレルの開口部（３２）を通って滑動し、かつ前記ロック解除ボタン（３０）は、前記ロック部材（２６）と接触して前記ロック部材を前記ロック位置から前記ロック解除位置へ移動させるようにすることができる内側端部（３４）を有する、請求項８に記載の筆記用具。
【請求項１１】
前記ロック解除ボタン（３０）は、前記バレルの前記後端（２ｂ）に形成されたハウジング（３３）内を長手方向軸Ｘに沿って滑動するように取り付けられ、かつ前記ロック解除ボタンは、前記ハウジングの端部に形成された開口部（３２）を通って滑動する内側端部（３４）を有する、請求項１０に記載の筆記用具。
【請求項１２】
前記ロック解除ボタン（３０）は、実質的に半径方向に滑動し、かつ前記ロック解除ボタンは、前記ロック解除ボタン（３０）が押下げられたときに、前記ロック部材（２６）と協働して前記ロック部材を前記ロック解除位置の方へ移動させるように構成されたカムの形をした内側端部（３４）を有する、請求項１０に記載の筆記用具。
【請求項１３】
前記ロック解除ボタン（３０）は、前記側部ボタンの開口部（３６）を通って滑動するように取り付けられている、請求項１２に記載の筆記用具。
【発明の詳細な説明】
【技術分野】
【０００１】
本発明は、引込み可能な先端を有する筆記用具に関し、特に、
後端と開口部を備えた前端との間を長手方向軸に沿って延び、側部窓を有するバレルと、
筆記先端が開口部を通って現れる露出位置と、筆記先端がバレル内に収納される引込み位置との間を移動することのできる筆記先端と、
筆記先端に連結された移動部材と、
移動部材と協働するように構成され、筆記先端が引き込まれる第１の位置と先端が露出したままになる第２の位置との間を前記窓を通って実質的に半径方向に移動できる側部ボタンとを有する筆記用具に関する。
【背景技術】
【０００２】
この種の筆記用具は大抵、必ずしもそうであるとは限らないが、側部ボタンが、ペンをたとえばシャツのポケットに固定できるようにクリップを有する、ボールペンから成る。側部ボタンは、前記第２の位置にあるとき、ペンのバレルに概ね押し込まれ、その結果、クリップは使用できなくなる、すなわち、ボールポイントが露出しているうちにペンを衣服に固定することはできない。
【０００３】
筆記先端は、引込みを望まないとき、特にユーザが先端に顕著な圧力をかけた場合、または男女がペンをテーブルもしくは床の上に落とした場合に、先端が引っ込まないようにするのに十分に確実にかつしっかりと露出され続ける必要がある。しかし、側部ボタンの操作は、筆記用具が、実用的であり、かつ筆記先端をどのように露出させるかまたは引き込むかに関して特定の技術や説明を必要としないように、ユーザにとって十分に簡単で直感的になっている必要がある。
【０００４】
たとえば、文献ＥＰ−Ａ−０３３７４４７は、クリップを有する側部ボタンが、傾斜したランプを備えた移動部材に作用して筆記先端を露出させる、前述の種類の引込み可能なボールペンを開示している。先端を露出させたままにしておくために、側部ボタンは、その前端に、側部ボタンを押込み位置に維持するように保持部１３の下に収納されるタブ１０ａを有する。しかし、こうして達成されたロックは側部ボタンの前部に圧力をかけることによってのみ得られるが、先端をロック解除して引き込むには側部ボタンの後部に圧力をかける必要がある。側部ボタンを操作するためのこのような特殊な条件はユーザにとって自明ではなく、そのために、このような機構を有する筆記用具は使うのにいくらか非実用的である場合がある。さらに、側部ボタンの操作が正しくないと、タブ１０ａおよび移動部材の対応する部分が変形または摩耗する恐れがあり、そのために、それほど突き出さない部材によるロックは確実なものではなく、筆記先端の不要な引込みを生じさせる可能性がある。
【発明の開示】
【発明が解決しようとする課題】
【０００５】
本発明の目的は、筆記先端を露出位置に確実に保つのを可能にし、同時に、簡単で直感的な側部ボタンの操作モードを保持する側部ボタンを有する機構を提案することによって、上述の欠点を解消することである。
【課題を解決するための手段】
【０００６】
この目的のために、本発明の物は、前述の種類の筆記用具において、側部ボタンが、中でロック部材がロック解除位置と側部ボタンロック位置との間を移動することができ、ロック部材がバレルに配置された保持部材に係合して前記側部ボタンがバレルに対して固定されるためのガイドを有し、前記ロック部材が、少なくとも前記側部ボタンが第２の位置にあるときにロック位置の方へ押されることを特徴とする。
【０００７】
可動ロック部材を設けると、側部ボタンが第２の位置にあるとき、すなわち、筆記先端が露出しているときに側部ボタンの積極的かつ確実なロックを達成させることが可能になる。さらに、側部ボタンが第２の位置に移動するとロック部材が自動的にロック位置に移動するので、ロック部材がロック位置の方へ押されるという事実は、先端を露出位置に保つために側部ボタンの幾らか複雑な操作に頼らないで済む。
【０００８】
本発明による好ましい実施態様では、以下の構成のうちのどれかまたはすべてがさらに持ち合わされた。
【０００９】
保持部材は、バレルに固定されている。
【００１０】
側部ボタンのガイドは、長手方向軸に沿って延び、ロック部材が保持部材に係合するために中を長手方向軸に沿って滑動する開口部を一端に有するハウジングである。
【００１１】
ロック部材は、保持部材に係合するように構成された第１の端部と、側部ボタンが第２の位置にあるときに移動部材に接触する第２の端部とを有し、移動部材が、弾性部材によってロック部材の第１の端部の方へ付勢され、ロック部材をロック位置に方へ押す。
【００１２】
側部ボタンは、側部ボタンが第２の位置にあるときに移動部材のリムに係合するように構成された長手方向に延びるスタッドを有する。
【００１３】
ロック部材の第２の端部は、ロック部材がロック位置からロック解除位置に移動させられるときに、リムが側部ボタンのスタッドに係合する位置から、リムがもはやスタッドと係合しない位置へ、移動部材を移動させるように構成されている。
【００１４】
側部ボタンはクリップを有し、窓はバレルの後端の近くに配置され、クリップが、側部ボタンが第２の位置にあるときに少なくとも部分的にバレルに収納される。
【００１５】
バレルに対して移動可能なロック解除ボタンが、ロック部材を側部ボタンのロック位置からロック解除位置へ駆動するように構成されている。
【００１６】
ロック解除ボタンは、ロック部材に固定されており、バレルの長穴に沿って滑動する。
【００１７】
ロック解除ボタンは、バレルの開口部を通って滑動し、かつロック解除ボタンは、ロック部材に接触してロック部材をロック位置からロック解除位置まで移動させることができる内側端部を有する。
【００１８】
ロック解除ボタンは、バレルの後端に形成されたハウジング内を長手方向軸に沿って滑動するように取り付けられ、かつロック解除ボタンは、ハウジングの端部に形成された開口部を通って滑動する内側端部を有する。
【００１９】
ロック解除ボタンは、実質的に半径方向に滑動し、かつロック解除ボタンは、ロック解除ボタンが押下されたときに、ロック部材と協働してロック部材をロック解除位置の方へ移動させるように構成されたカムの形をした内側端部を有する。
【００２０】
ロック解除ボタンは、側部ボタンの開口部を通って滑動するように取り付けられる。
【発明を実施するための最良の形態】
【００２１】
本発明の他の特徴および利点は、添付の図面を参照して非制限的な例を介して与えられる以下の説明から明らかになろう。
【００２２】
様々な図において、同じ参照番号は同一または同様の部材を示している。
【００２３】
図１および２は、前端２ａと後端２ｂとの間を長手方向軸Ｘに沿って延びるバレル２と、バレルの側部窓４を通過する側部ボタン３とを有する、ボールペン型の筆記用具１の斜視図である。このペンは、図１に示される、筆記先端５がバレルの内側に収納される引込み位置と、図２に示される、筆記先端５が前端２ａに形成された開口部６と通ってバレルから現れる露出位置との間を長手方向軸Ｘに沿って移動することができる筆記先端５も有している。
【００２４】
筆記先端は、図示の実施形態ではボールポイントであるが、フェルトペン先であっても、場合によっては推進機構を含むカートリッジから供給される芯であってもよい。
【００２５】
図３を見ると分かるように、バレル２は、前端に円錐先端８を後端にプラグ９を備えた中央筒状本体７を有している。
【００２６】
移動部材１０が、長手方向軸Ｘに沿って滑動するようにバレル２の内側に配置されている。移動部材は、前端が筆記先端５に固定されたインク容器１２の後端を収容するように構成されたくぼみ１１を前端に有する、すなわち、移動部材１０は、筆記先端５に連結されている。
【００２７】
バレルの前方先端８とインク容器１２の出っ張りとの間に配置されたらせん状圧縮ばね１３が、後端２ｂの方へインク容器を、ひいては移動部材１０を付勢する。しかし、移動部材は、たとえば長穴付きプラスチックスリーブのような任意の他の弾性部材によって同じ方向へ付勢することもできる。
【００２８】
側部ボタン３は、ボタンの外面に連続する基部から前端２ａの方へ延びるクリップ１５を有している。
【００２９】
ボタン３は、長手方向軸Ｘに対して半径方向に測定される一定距離以上に動けて矩形断面を有する周囲部１６によって形成された窓４を通って滑動するように取り付けられている、すなわち、側部ボタンは、２つの位置の間を主として半径方向に移動させることができる。ボタン３は、窓の壁１６に沿ってバレルの内側の方へ延びるタブ１７を有しており、これによって、窓を通るボタンのスライドが案内される。タブ１７の内側端部は、図４を見ると分かるように、環状本体２の内側長手方向リムと協働してボタンの外側への移動を制限する突起を有する。
【００３０】
図１および３に示されている第１の位置では、側部ボタンは、バレル２の外面から突き出ており、クリップ１５は完全に露出している。ユーザがボタン３の外面を押すと、ボタン３は、図６に示される、クリップ１５が窓４の内側に完全に収納される第２の位置に達するまで、バレルの内側の方へ滑動する。窓４は、クリップ１５を収容するようにクリップ１５の長さおよび／または形状に合わせてある。この場合、ボタン３およびクリップ１５の外面は、バレルの表面と同一面の状態となる、すなわち、もはやクリップを衣服に固定することはできない。しかし、クリップ１５を使用不能にするには窓の途中まで挿入するだけでよい。この構成では、バレル２は、その全長の大部分にわたって連続する外面を有し、したがって、握りやすい。
【００３１】
側部ボタンは、第１の位置から第２の位置まで移動する間、移動部材１０と公知の方法で協働して、筆記先端５を、図３に示されている引込み位置から、図６に示される、筆記先端が露出する位置まで移動させる。このために、移動部材１０は、図３および４を見ると分かるように、側部ボタンの一部２１が滑る傾斜ランプ２０を有している。側部ボタン３が、図６に示されている第２の位置に達すると、ボタンの斜面が移動部材１０の傾斜ランプに接触するようになり、これによって移動部材が持てる遊び量が制限される。しかし、たとえば、長手方向軸に対して傾斜した、長穴内を滑るスタッドを使用して、ボタンと移動部材との間の協働を異なるように実現することもできる。
【００３２】
側部ボタン３は、２つの開放端部の間を長手方向軸Ｘに沿って延びるハウジング２４を有している。第１の実施形態では、ハウジング２４は、クリップ１５の反対側に放射状の開口部を有することによって、穴あき構成を有している。
【００３３】
ハウジング２４は、ロック部材２６が長手方向軸Ｘに沿って滑動するガイドを形成している。ロック部材２６は、後端に第１の端部２７を有し、第１の端部の反対側に第２の端部２８を有する矩形のプレートの形を有している。
【００３４】
ロック部材２５の第１の端部２７は、側部ボタンが第１の位置にあるときと、第２の位置への横方向への移動中には、側部ボタン３のガイド２４を突き出ることはない。したがって、ロック部材２６が、ロック解除位置と呼ばれるこの第２の位置までにあるとき、側部ボタン３は、窓４を通って自由に滑動することができ、ロック部材の第１の端部２７も、窓を形成する壁１６に対して滑る。
【００３５】
側部ボタン３が、図６に示されている第２の位置にあるとき、ロック部材２５は、以下に詳述する付勢作用の下でロック位置をとる。ロック位置では、第１の端部２７が保持部材２９に係合し、そのために側部ボタンは、側部ボタンと窓４に面する筒状本体７の内壁との間に配置された追加のばね２３、あるいは側部ボタンの斜面２２に対して移動部材１０によってかけられる圧力によって、外側方向にかかる力に関わらず外側へもはや滑動することができない。ロック部材がこのように移動することによって、端部２７と保持部材２９の間の強固な協力を得ることができ、これによって、側部ボタンが第２の位置に確実に保持されるので、筆記先端５が確実に露出位置に保持され、側部ボタン３に半径方向への移動を除いてあらゆる移動が全部不要になる。
【００３６】
ロック部材２６は、図示の実施形態では、長手方向軸Ｘに沿った後方への並進移動を行ってロック位置をとるが、ロック部材は、異なる移動、たとえば、側部ボタンの移動に垂直な半径方向への移動、または側部ボタンの移動方向に平行な軸周りのピボット運動を行うことも考えられることに留意されたい。この場合、ロック部材が取り付けられるガイドは、ハウジング２４とはかなり異なる形状を有する。
【００３７】
保持部材２９は、バレルプラグ９に形成され、前端２ａの方へ長手方向に延びる突起である。しかし、保持部材は、ロック部材の第１の端部と協働する移動部材のリムで構成することもできる。それでも、ロック部材２６がバレルに固定された部材と協働することで機構の各構成部材間の遊びが制限されるので、ロックの確実性が向上する。
【００３８】
ロック部材２６は、図３および５に示されているロック解除位置から図６に示されているロック位置まで移動する場合、側部ボタン３が第２の位置に近づくときにロック位置の方へ押される。実際には、ロック部材２６の第２の端部２８がハウジング２４の第２の開口部からわずかに突き出すことが起きる。ここで、第２の開口部は、側部ボタンの、側部ボタンを押下げるときに移動部材１０の傾斜ランプ２０と接触する部分２１と、側部ボタンが図５に示されている第２の位置に達したときに傾斜ランプ２０に接触するようになる側部ボタンの斜面２２との間に位置している。したがって、部分２１が傾斜ランプ２０の下側端を越えて突き出ると、傾斜ランプ２０は、ばね１３の作用の下でロック部材の第２の端部２８に接触するようになって、ロック部材２６をそのロック位置の方へ押す、すなわち、移動部材１０は、ロック部材をその第１の端部２７の方へ滑動させるようとする。
【００３９】
この構成の結果として、部材２６を自動的にロック位置の方へ付勢するうえで追加的な弾性手段を使用する必要がなくなる。しかし、このような付勢手段、たとえば、ロック部材と側部ボタンのハウジングの端部との間に配置された圧縮ばねや、ロック部材の一体部分として形成され、側部ボタンのハウジングの壁に接触する弾性タブに頼ってもよい。
【００４０】
側部ボタンの部分２１が、長手方向前方に延び、ハウジング２４の第２の開口部の口部に対応する活動的な面を有する、スタッドを構成することに留意されたい。さらに、移動部材１０のランプ２０の下側端は、側部ボタンが図６に示されている第２の位置に達したときにスタッド２１が係合するリムを形成する。スタッド２１とその移動部材１０のリムとが協働することによって、ロック部材の第１の端部２７とバレルの保持部材２９とが協働することによって形成される第１のロック点だけでなく、側部ボタン３を第２の位置にロックし、それ故に筆記先端を露出位置にロックする第２のロック点が形成される。このため、特に確実に筆記先端を露出位置に維持することができる。
【００４１】
筆記先端を図５に示されている位置から引き込むために、筆記用具１は、ロック部材２６を、ロック部材にかかるロック位置の方への圧力に対抗して側部ボタン３のロック位置からロック解除位置まで移動させるようにロック部材２６に作用させられるロック解除ボタン３０を備えている。
【００４２】
第１の実施形態では、ロック解除ボタン３０は、ロック部材２６に固定され、バレル２にて窓４の反対側に形成された長穴３１の方へ半径方向に延びる、ペグによって形成される。長穴３１は、バレルの長手方向軸Ｘに沿って延びている。ロック解除ボタン３０を形成するペグの長さは、側部ボタン３が第２の位置にあるときにこのペグが長穴を通って突き出るように設定されている。長穴３１はもちろん、ロック解除ボタン３にかかる作用がロック解除部材２６をロック位置からロック解除位置へと移動させるのに十分な長さを有する。ロック解除ボタン３０が見えるのは筆記先端が露出するときだけであり、それによって、先端を引き込むためにロック解除ボタン３０の動作がより直感的なものになることに留意されたい。
【００４３】
本発明による筆記用具の第２の実施形態は、図７および８に示されている。この実施形態の大部分の部材は、第１の実施形態と同じであり、重複して詳述しない。単に、側部ボタン３内のハウジング２４が前述の実施形態のそれよりも閉じた形を有することに留意されたい。具体的には、この第２の実施形態では、ハウジング２４はその長手方向端部に開口部を有するに過ぎない。さらに、この第２の実施形態が、側部ボタン３をその第１の位置に戻す際に側部ボタン３を助ける追加的なばねを有さないことに留意されたい。これは、圧縮ばね１３の作用の下で、移動部材１０の傾斜ランプ２０とロック部材２６の第２の端部２８とが協働し、さらに移動部材１０の傾斜ランプ２０と側部ボタンの部分２１とが協働することによって、側部ボタン３を第１の位置の方へ半径方向に移動させることができ、かつ側部ボタン３をこの位置に維持することができるからである。
【００４４】
この第２の実施形態では、ロック解除ボタン３０はロック部材２６とは異なる部材であるので、ロック解除ボタン３０は、第１の実施形態と比べてかなり異なる方法で作製される。ロック解除ボタン３０は、バレルのキャップ９に形成されたハウジング３３内を長手方向軸Ｘに沿って滑動するように取り付けられている。ハウジング３３は、ロック部材２６がロック位置にあるときにロック部材２６の第１の端部２７に面して位置する開口部３２を、側部ボタン３に隣接するその壁に有している。ボタン３０は、バレルの後端２ｂから突き出るロック解除ボタンの外面３０ａにたとえば親指で圧力がかけられたときに第１の端部２７に接触してロック部材２６をロック位置からロック解除位置へ移動させるペグによって形成された内側端部３４を有している。筆記用具はその後端に押しボタンをよく備えているので、ユーザが筆記先端を引き込む際にこの第２の実施形態のロック解除ボタン３０に圧力をかけるのはかなり自然である。
【００４５】
図９および１０に示される、第１及び第２の実施形態と大部分の部材が同じである第３の実施形態では、ロック解除ボタン３０はやはり、ロック部材２６と異なる構成部材で形成されている。この第３の実施形態では、ロック解除ボタンは、側部ボタン３をその外面からハウジング２４まで通過する通路３６を通って半径方向に滑動する。通路３６は、ロック解除ボタン３０を介したバレル２内での動作を可能にする開口部を形成している。ロック解除ボタンの内側端部３４は、カムを形成する円錐先端を有している。この内側端部３４は、ロック部材２６、より具体的にはその開口部２５と協働し、それで、ロック部材の外面に圧力をかけることによってロック解除ボタンを押し下げると、ロック部材が、図１０に示されているロック位置から図９に示されるようにロック解除位置へ移動する。
【００４６】
筒状本体７にて窓４の反対側に形成された開口部を通って半径方向に滑動するようにロック解除ボタン３０を取り付け、かつこの場合も、ハウジング２４上に適切な側部開口部を形成することにより同一の内側端部３４がロック部材２６の開口部２５と協働することによって、同様の実施形態を実現することができる。しかし、図９および１０に示されているレイアウトは、事前に組み立て、それからこの組立体を窓４に挿入することによって筒状本体７上に取り付けることのできる側部ボタン３、ロック部材２６およびロック解除ボタン３０を有する機能的な部分組立体を作製するのを可能にする。
【００４７】
側部ボタン３が図１０に示されている第２の位置にあるとき、開口部２５の縁部がロック解除ボタン３０の円錐部を外側に押し、それによってこのボタンがより顕著に突き出すことに留意されたい。
【００４８】
図示の様々な実施形態において筆記先端５を露出させる場合、ユーザは、図３、７、および９に示されている位置から側部ボタン３またはクリップ１５に圧力をかける。側部ボタン３は次に、移動部材１０の傾斜ランプ２０に圧力をかけ、これによって、移動部材１０、インク容器１２、および筆記先端５がバレルの前端２ａの方へ長手方向に滑る。側部ボタン３がその第２の位置に接近したとき、すなわち、図５に示されている位置の直後に、側部ボタンの部分２１がランプ２０の下側端を越えて突き出し、その下側端がロック部材２６の第２の端部２８に接触し、圧縮ばね１３による作用の下でロック部材２６をその第１の端部２７の方へ押す。側部ボタン３が、図６、８、および１０に示されている第２の位置に達すると、ロック部材２６の第１の端部２７がバレルの保持部材２９を越えて突き出し、後端２ｂの方へ滑動する、すなわち、第１の端部２７が保持部材２９に係合し、これにより第１のロック点が形成される。側部ボタン３の部分２１が、傾斜ランプ２０の下側端と係合するスタッドを形成し、これにより側部ボタンをロックする第２のロック点を形成することを留意されたい。
【００４９】
筆記先端５をバレルに引き込むため、ユーザは、第１の実施形態ではロック解除ボタン３０を長手方向に並進移動させ、第２および第３の実施形態ではロック解除ボタンの外面を押し、それによってロック部材２６を図６、８、および１０に示されているロック位置から、ロック解除位置、すなわち、図３、７、および９に示されている位置と同一の、側部ボタン３に対する位置へ移動させる。ロック解除位置では、ロック解除部材の第１の端部２７が保持部材２９から外れ、その一方では第２の端部２８が、傾斜ランプ２０の下側端を後方に出して側部ボタンのスタッド２１を通過する、すなわち、側部ボタンはもはや移動部材１０から分離される。移動部材の傾斜ランプによってかかる圧力、あるいは追加的なばね３１の助けによってかかる圧力のため、側部ボタンは後方のその初期位置に移動する。
【００５０】
もちろん、前述の様々な実施形態は制限的なものではなく、特に、本発明の範囲から逸脱することなくこれらの実施形態の様々な特徴を組み合わせることが可能である。
【図面の簡単な説明】
【００５１】
【図１】筆記先端が引込み位置にある、本発明による筆記用具の第１の実施態様の斜視図である。
【図２】筆記先端を露出させた、図１と同様の図である。
【図３】図１に示されている筆記用具の長手方向断面の拡大図である。
【図４】図３のＩＶ−ＩＶの断面図である。
【図５】筆記先端を部分的に露出させた、図３と同様の図である。
【図６】筆記先端を露出させた、図５と同様の図である。
【図７】本発明による筆記用具の第２の実施態様の長手方向断面図である。
【図８】筆記先端を露出させた、図７と同様の図である。
【図９】本発明による筆記器具の第３の実施態様の長手方向断面図である。
【図１０】筆記先端が露出位置にある、図９と同様の図である。
【図１】
2007536135.tif 000003
【図２】
2007536135.tif 000004
【図３】
2007536135.tif 000005
【図４】
2007536135.tif 000006
【図５】
2007536135.tif 000007
【図６】
2007536135.tif 000008
【図７】
2007536135.tif 000009
【図８】
2007536135.tif 000010
【図９】
2007536135.tif 000011
【図１０】
2007536135.tif 000012
【国際調査報告】
2007536135.tif 000013
2007536135.tif 000014
2007536135.tif 000015
2007536135.tif 000016
2007536135.tif 000017
2007536135.tif 000018